(57)【特許請求の範囲】
【請求項１】
吸引がわパイプと排出がわパイプとの間に装着して液体の流路を一方向に規制する医療用合成樹脂製の逆流防止継手において、吸引がわパイプに連結される弁体ケースと、この弁体ケースに密閉状態で外嵌し排出がわパイプに連結される蓋体ケースとを嵌脱自在に形成し、弁体ケースの流路に沿ってスライド自在に装着され弁体ケースの流路を開閉自在に閉塞する弁体を設け、一方、この弁体に着脱自在に連結する操作部を蓋体ケースの内部に装着し、嵌合状態の弁体ケースと蓋体ケースとを分離するときに、操作部に連結した弁体が弁体ケースの流路を閉塞する位置までスライド移動すると共に、操作部から弁体が離脱するように設け、複数本の突起状を成し弁体のスライド位置を一定に保つ位置固定部を設け、
前記弁体ケースの排出がわに設けられた係合密閉部に嵌合係止して流路を閉塞する弁板と、前記弁体から前記蓋体ケース方向に延長されて前記操作部に着脱自在に連結される連結部とを弁体に設け、前記弁体ケースと蓋体ケースとを密閉状態で嵌合したときに、操作部が連結部に連結すると共に、操作部に押圧された前記弁体が弁体ケースの流路を開放する位置までスライド移動するように設け、
略球状に形成した連結部を前記弁体の蓋体ケースがわ端部に突設し、一方、前記操作部において、球状の連結部に着脱自在に外嵌係止する係止突起を操作部の弁体ケースがわ端部に突設し、
前記弁体ケースと前記蓋体ケースとを密閉状態で嵌合したときに、前記操作部の前記係止突起先端で押圧される押圧部を弁体に形成したことを特徴とする逆流防止継手。
【発明の詳細な説明】
【０００１】
【発明の属する技術分野】
本発明は、液体を一方向にのみ流動させて逆流を防止する機能を有する逆流防止継手に係り、特に医療用品として使用される吸引器の継手として使用される逆流防止継手に関する。
【０００２】
【従来の技術】
従来この種の逆流防止継手は、USP 4,436,125 等に記載されているような金属スプリングを用いた継手構造や、USP 4,934,655 等に記載されているようなゴムの弾性を利用した継手構造が利用されている。
【０００３】
一方、プラスチック等の合成樹脂材で形成される逆流防止継手は、実開平6-45177 号公報に記載されたチェックバルブの逆止弁及び、実開昭52-16035号に記載された逆止弁が提案されている。
【０００４】
【発明が解決しようとする課題】
金属スプリングを用いた構造の逆流防止継手は、金属スプリング自体が焼却の妨げになることから、血液や体液等を扱う医療用品の逆流防止継手として使用した場合、危険な医療廃棄物として廃棄処理する必要がある。また、この廃棄処理に代え、敢えて焼却処理を行う場合は、焼却できない金属スプリングを取り外す手間を要することになる。いずれにしても、金属スプリングを用いた逆流防止継手は、使用後の処理手段の観点から少なくとも医療用品の逆流防止継手として適当ではなかった。
【０００５】
また、ゴムの弾性を利用した逆流防止継手は、継手の逆流防止機能がゴムの弾性性能に依存するため、特殊なインクや溶剤を含んだ液体など、ゴム材に相性の悪い液体を使用すると、極端に弾性性能が落ちるおそれがある。したがって、ゴムの弾性を利用した逆流防止継手は、使用範囲が限定される不都合があった。
【０００６】
一方、合成樹脂材を使用した従来の逆流防止継手において、前者のチェックバルブの逆止弁は、特にガソリンエンジンのシリンダブロック側とシリンダヘッド側に連通する潤滑油供給通路に配設する特殊な逆止弁として提案されたもので、合成樹脂材を使用していても、医療分野で利用することはできない構造である。
【０００７】
また、合成樹脂材を使用した後者の逆流防止継手は、逆流防止構造自体に課題を有するものであった。すなわち、この継手構造では、逆流する液体の圧力を利用して逆流防止杆を流路に閉塞させる手段を採用している。逆流防止杆の側面には、液体が一方向に流れる溝孔を開穿してあり、逆流防止杆が流路に閉塞するまでは、この溝孔に液体が流れる構造になっている。したがって、逆流する液体の圧力で流防止杆の移動が始まった時点から、半球状突起を流路に閉塞させるまでの時間に、僅かではあるが溝孔を介して液体が逆流することは阻止できない。この結果、僅かな液体が逆流しても差障りのない分野で使用することはできても、例えば、医療分野など、逆流防止精度が要求される分野での使用は不可能である。
【０００８】
そこで本発明は上述の課題を解消すべく創出されたもので、逆流防止精度が要求される医療分野で使用することができ、しかも使用後は焼却処理が可能となり、使い捨ての逆流防止継手として使用することもできる逆流防止継手の提供を目的とするものである。
【０００９】
【課題を解決するための手段】
上述の課題を解消すべく本発明の手段は、吸引側パイプＰと排出側パイプＱとの間に装着して液体の流路を一方向に規制する合成樹脂製の逆流防止継手において、吸引側パイプＰに連結される弁体ケース１０と、この弁体ケース１０に密閉状態で外嵌し排出側パイプＱに連結される蓋体ケース２０とを嵌脱自在に形成し、弁体ケース１０の流路に沿ってスライド自在に装着され弁体ケース１０の流路を開閉自在に閉塞する弁体１を設け、一方、弁体１１に着脱自在に連結する操作部２１を蓋体ケース２０の内部に装着し、嵌合状態の弁体ケース１０と蓋体ケース２０とを分離する際に、操作部２１に連結した弁体１１が弁体ケース１０の流路を閉塞する位置までスライド移動すると共に、操作部２１から弁体１１が離脱するように設け、複数本の突起状を成し弁体１１のスライド位置を一定に保つ位置固定部１１Ｅを設けたことにある。本発明によると、弁体ケース１０と蓋体ケース２０とを分離するときに、弁体ケース１０内の弁体１１が流路を閉塞してから弁体ケース１０と蓋体ケース２０とが分離するものである。
【００１０】
また、前記弁体ケース１０の排出がわに設けられた係合密閉部１２に嵌合係止して流路を閉塞する弁板１１Ａと、弁体１１から前記蓋体ケース２０方向に延長されて前記操作部２１に着脱自在に連結される連結部１１Ｂとを弁体１１に設け、弁体ケース１０と蓋体ケース２０とを密閉状態で嵌合したときに、操作部２１が連結部１１Ｂに連結すると共に、操作部２１に押圧された前記弁体１１が弁体ケース１０の流路を開放する位置までスライド移動するように設けたことにある。本発明では、この弁板１１Ａが弁体ケース１０内の流路を実質的に閉塞するものである。また、弁体ケース１０と蓋体ケース２０とを密閉状態で嵌合したときに、弁体１１が弁体ケース１０の流路を開放する位置にスライド移動する。
【００１１】
更に、弁体１１において、略球状に形成した連結部１１Ｂを弁体１１の蓋体ケース２０がわ端部に突設し、一方、前記操作部２１において、球状の連結部１１Ｂに着脱自在に外嵌係止する係止突起２１Ａを操作部２１の弁体ケース１０がわ端部に突設している。係止突起２１Ａは、連結部１１Ｂを囲むように複数本形成し、自身の弾性作用で球状の連結部１１Ｂ表面に沿って拡開する。このような係止突起２１Ａと略球状に形成した連結部１１Ｂとが、操作部２１と弁体１１との着脱操作を容易にしている。
【００１２】
そして、弁体１１において、前記弁体ケース１０と蓋体ケース２０とを密閉状態で嵌合したときに、前記操作部２１の前記係止突起２１Ａ先端で押圧される押圧部１１Ｃを弁体１１に形成したことを課題解消のための手段とする。
【００１３】
【発明の実施の形態】
以下、本発明を図面に基づいて詳述する。図１は、吸引側パイプＰと排出側パイプＱとの間に本発明継手を装着して液体が流れる状態を示している。液体は、排出側パイプＱの先に連結された吸引ポンプ（図示せず）等により吸引され、吸引側パイプＰ方向から排出側パイプＱ方向に流れている。本発明継手は、吸引側パイプＰと排出側パイプＱとが離されたときに、液体の流路が逆流しないように機能し、吸引側パイプＰと排出側パイプＱとを連結した時に、再び液体が一方向に流れるように機能するものである。
【００１４】
弁体ケース１０を吸引側パイプＰに連結し、蓋体ケース２０を排出側パイプＱに連結する。そして、弁体ケース１０の外側に蓋体ケース２０を嵌合するように設けてあり、嵌合時には弁体ケース１０と蓋体ケース２０とを密閉状態で連結するパッキング１３を配している。図示例のパッキング１３は、弁体ケース１０の嵌合筒部１０Ａにオーリングを設けたもので、弁体ケース１０の嵌合筒部１０Ａと、蓋体ケース２０の嵌合筒部２０Ａとがどの位置で重合していても密閉状態を維持できるようにしている。
【００１５】
弁体ケース１０の内部には弁体１１がスライド自在に装着されている。この弁体１１には、弁体ケース１０に設けられた係合密閉部１２に係合して流路を閉塞する弁板１１Ａを設けている。また、複数本の突起状を成し弁体１１のスライド位置を一定に保つ位置固定部１１Ｅを設けている。この位置固定部１１Ｅは、弁体１１のスライド位置を一定に保つもので、流路を塞がないように複数本の突起状を成している（図４参照）。図示の弁板１１Ａは、硬質性合成樹脂材の弁体１１と、軟質性合成樹脂材の弁板１１Ａとを別体に設けている（図４参照）。更に、弁板１１Ａに重合する硬質性合成樹脂材の係止板１１Ｄを弁体１１と一体に設け、この係止板１１Ｄが係合密閉部１２に係合すると共に、軟質性合成樹脂材の弁板１１Ａが係合密閉部１２に嵌合係止する（図２参照）。また、この弁板１１Ａに代えてオーリングを使用することもできる。
【００１６】
一方、弁体１１に着脱自在に連結する操作部２１を蓋体ケース２０の内部に設けている。そして、嵌合状態の弁体ケース１０と蓋体ケース２０とを分離するときに、操作部２１に連結した弁体１１が弁体ケース１０の流路を閉塞する位置までスライド移動し、完全に閉塞したときに、操作部２１から弁体１１が離脱するように設けている。図示例では、略球状に形成した連結部１１Ｂを弁体１１に設け、この連結部１１Ｂに操作部２１を連結している。操作部２１には、球状の連結部１１Ｂに着脱自在に外嵌係止する複数本の係止突起２１Ａを突設している。この係止突起２１Ａによると、弁板１１Ａが弁体ケース１０の流路を閉塞する位置までスライド移動したときに各係止突起２１Ａが拡開して連結部１１Ｂが離脱する（図２参照）。
【００１７】
また、弁体ケース１０と蓋体ケース２０とを密閉状態で嵌合したときに、操作部２１に押圧された前記弁体１１が弁体ケース１０の流路を開放する位置までスライド移動するように設けている。図１の操作部２１は、弁体１１に設けた押圧部１１Ｃを係止突起２１Ａの先端が押圧している。この押圧部１１Ｃは、流路を塞がないように複数本の突起状を成している（図４参照）。また、この押圧部１１Ｃに代えて操作部２１の内部にストッパー２１Ｂを設け、このストッパー２１Ｂに連結部１１Ｂを係仕させて、前記弁体１１が弁体ケース１０の流路を開放する位置にすることもできる（図１、図２参照）。
【００１８】
離脱した蓋体ケース２０を再び弁体ケース１０に嵌合すると、操作部２１の係止突起２１Ａに、弁体１１が係止される（図２参照）。このとき、弁板１１Ａが係合密閉部１２に強制嵌合された状態のままで、係止突起２１Ａが拡開する強度に操作部２１を形成している。そして、蓋体ケース２０を更に押し進めると、操作部２１の先端が弁体１１の押圧部１１Ｃを押圧し、係合密閉部１２に強制嵌合された弁板１１Ａが解除され、再び一方向に液体が流れ出す（図１参照）。
【００１９】
次に本発明の操作方法を説明すると、液体の流路を遮断するには、弁体ケース１０と蓋体ケース２０とを分離するだけでよい。すなわち、弁体ケース１０と蓋体ケース２０とが連結状態にあると、図１に示すように、吸引側パイプＰから排出側パイプＱ方向へ液体が流れている。次に、図２に示すように、弁体ケース１０から蓋体ケース２０を引きはなすと、弁板１１Ａが係合密閉部１２に嵌合係止して流路を閉塞する。このとき、弁板１１Ａよりも蓋体ケース２０がわの液体は、係止突起２１Ａが連結部１１Ｂから分離して弁体ケース１０と蓋体ケース２０とが完全に分離する前にすべて排出側パイプＱがわに吸引される。更に図３に示すように弁体ケース１０と蓋体ケース２０とを分離させて行くと、液体の流路を遮断した状態で両者が分離する。
【００２０】
液体の流路を再び連結するには、弁体ケース１０と蓋体ケース２０とを連結嵌合する操作となる。図３に示すごとく、嵌合筒部１０Ａに嵌合筒部２０Ａを嵌合して行くと、図２に示すように、係止突起２１Ａの内部に球状の連結部１１Ｂが嵌合して連結状態になる。このとき、弁板１１Ａの嵌合係止力は、係止突起２１Ａと連結部１１Ｂとの連結時の押圧力では、係合密閉部１２から離れない程度に嵌合係止している。更に、図１に示すように、係止突起２１Ａの先端で押圧部１１Ｃを押圧しながら蓋体ケース２０を弁体ケース１０がわに嵌合して行くと、係合密閉部１２に嵌合係止した弁板１１Ａが係合密閉部１２から離れて流路が開放され、吸引側パイプＰから排出側パイプＱ方向に液体が流れるものである。
【００２１】
尚、実施例では、排出側パイプＱの先に連結された吸引ポンプで吸引側パイプＰら液体排出側パイプＱ方向に流れる例で説明したが、弁体ケース１０と蓋体ケース２０を上下に配置して、上部の吸引側パイプＰに連結した加圧ポンプ等や、液体の自重によって、排出側パイプＱに液体が流れる場合にも本発明が機能するものである。
【００２２】
【発明の効果】
本発明は上述の如く構成したことにより、当初の目的を達成した。
【００２３】
すなわち、吸引側パイプＰと排出側パイプＱとの間に装着して液体の流路を一方向に規制する合成樹脂製の逆流防止継手において、吸引側パイプＰに連結される弁体ケース１０と、この弁体ケース１０に密閉状態で外嵌し排出側パイプＱに連結される蓋体ケース２０とを嵌脱自在に形成し、弁体ケース１０の流路に沿ってスライド自在に装着され弁体ケース１０の流路を開閉自在に閉塞する弁体１を設け、一方、弁体１１に着脱自在に連結する操作部２１を蓋体ケース２０の内部に装着し、嵌合状態の弁体ケース１０と蓋体ケース２０とを分離するときに、操作部２１に連結した弁体１１が弁体ケース１０の流路を閉塞する位置までスライド移動したときに操作部２１から弁体１１が離脱するように設け、複数本の突起状を成し弁体１１のスライド位置を一定に保つ位置固定部１１Ｅを設けたことにより、弁体ケース１０内の弁体１１が流路を閉塞してから弁体ケース１０と蓋体ケース２０とが分離するので、確実な逆流防止効果が得られる。しかも位置固定部１１Ｅによって弁体１１のスライド位置を一定に保つことができる。したがって、従来の合成樹脂製継手で見られるような僅かな逆流も阻止することができるので、逆流防止精度が要求される医療分野での使用に最適なものになった。
【００２４】
また弁体１１は、前記弁体ケース１０の排出がわに設けられた係合密閉部１２に係合して流路を閉塞する弁板１１Ａと、弁体１１から前記蓋体ケース２０方向に延長されて前記操作部２１に着脱自在に連結される連結部１１Ｂとを有し、操作部２１において、前記弁体ケース１０と蓋体ケース２０とを密閉状態で嵌合したときに、操作部２１に押圧された前記弁体１１が弁体ケース１０の流路を開放する位置までスライド移動するように設けたから、操作部２１の位置によって弁体１１が弁体ケース１０の流路を開閉することができる。この結果、本発明逆流防止継手の着脱操作は、弁体ケース１０と蓋体ケース２０との嵌合離脱操作のみとなり、医療分野で使用することが可能になる。
【００２５】
更に、弁体１１において、略球状に形成した連結部１１Ｂを弁体１１の蓋体ケース２０がわ端部に突設し、一方、前記操作部２１において、球状の連結部１１Ｂに着脱自在に外嵌係止する係止突起２１Ａを操作部２１の弁体ケース１０がわ端部に突設しているので、操作部２１の係止突起２１Ａと略球状に形成した連結部１１Ｂとが、操作部２１と弁体１１との着脱操作を容易にしている。
【００２６】
しかも、本発明逆流防止継手は合成樹脂製の逆流防止継手であるから、少ないエネルギーで完全に焼却することができる。また、高温での焼却によってダイオキシン発生の防止も可能である。更には、各構成が簡単な構成であると共に、これらの構成を射出成型で製造できるので、従来の金属スプリングを用いた逆流防止継手より安価な提供が可能になる。この結果、本発明逆流防止継手を医療分野で利用することができる。
【００２７】
このように本発明によると、逆流防止精度が要求される医療分野で使用することができ、しかも使用後は焼却処理が可能となり、使い捨ての逆流防止継手として使用することもできるなどといった産業上有益な種々の効果を奏するものである。
【図面の簡単な説明】
【図１】本発明継手の一実施例において、液体が流通する状態を示す断面図。
【図２】本発明継手の一実施例において、弁体が流路を閉塞した状態を示す断面図。
【図３】本発明継手の一実施例において、弁体ケースと蓋体ケースとが分離する状態を示す断面図。
【図４】本発明継手における弁体の一実施例を示す斜視図。
【符号の説明】
Ｐ  吸引側パイプ
Ｑ  排出側パイプ
１０  弁体ケース    １０Ａ  嵌合筒部
１１  弁体          １１Ａ  弁板
１１Ｂ  連結部
１１Ｃ  押圧部
１１Ｄ  係止板
１１Ｅ  位置固定部
１２  係合密閉部
１３  パッキング
２０  蓋体ケース    ２０Ａ 嵌合筒部
２１  操作部        ２１Ａ 係止突起
２１Ｂ  ストツパー
【図１】
0003610453.tif 000002
【図２】
0003610453.tif 000003
【図３】
0003610453.tif 000004
【図４】
0003610453.tif 000005